(57)【要約】      （修正有）【課題】カメラ内の画像センサの構成、及び画像センサからの熱放散を確実にする。【解決手段】センサホルダ１００、センサホルダ上に取り付けられた画像センサ１５０、マウントホルダ３５０、及びレンズアレイ６００を受け入れるように適合され且つマウントホルダに取り付けられたレンズマウント３００を備えたカメラであって、センサホルダが、マウントホルダに取り付けられ、カメラの光軸Ａに沿った伸長を有する間隙５００が、センサホルダとレンズマウントとの間に形成され、センサホルダには、間隙を埋め且つインターフェース２５０においてレンズマウントと接触している熱伝導突起２００が設けられており、レンズマウントと熱伝導突起との間の接触を維持した状態で、光軸に沿ったレンズマウントと熱伝導突起との間の相対的な動きを可能にする。【選択図】図１
2019091016.tif 000002
【特許請求の範囲】
【請求項１】
センサホルダ（１００）、
前記センサホルダ（１００）上に取り付けられた画像センサ（１５０）、
マウントホルダ（３５０）、及び
レンズアレイ（６００）を受け入れるように適合され且つ前記マウントホルダ（３５０）に取り付けられたレンズマウント（３００）を備えた、カメラであって、
前記センサホルダ（１００）が、前記マウントホルダ（３５０）に取り付けられ、
前記カメラの光軸に沿った伸長を有する間隙（５００）が、前記センサホルダ（１００）と前記レンズマウント（３００）との間に形成され、
前記センサホルダ（１００）には、前記間隙（５００）を埋め且つインターフェース（２５０）において前記レンズマウント（３００）と接触している熱伝導突起（２００）が設けられており、前記レンズマウント（３００）と前記熱伝導突起（２００）との間の接触を維持した状態で、前記光軸（１０）に沿った前記レンズマウント（３００）と前記熱伝導突起（２００）との間の相対的な動きを可能にする、カメラ。
【請求項２】
前記センサホルダ（１００）が、前記マウントホルダ（３５０）に接着剤で取り付けられている、請求項１に記載のカメラ。
【請求項３】
前記インターフェース（２５０）が、前記熱伝導突起（２００）上の第２の表面（２０２）に対向する前記レンズマウント（３００）上の第１の表面（３０１）を備え、前記第１及び第２の表面（３０１、２０２）が、両方とも前記光軸に対して垂直に延伸する法線を有する、請求項１又は２に記載のカメラ。
【請求項４】
前記熱伝導突起（２００）が、前記センサホルダ（１００）の中間エリアに位置決めされ、前記中間エリアが、前記画像センサ（１５０）の周りで延在し、前記センサホルダ（１００）の外周の内側にある、請求項１から３のいずれか一項に記載のカメラ。
【請求項５】
前記中間エリアが、前記センサ支持体と前記マウントホルダ（３５０）との間の取り付けポイント（４００）によって規定された外周の内側にある、請求項４に記載のカメラ。
【請求項６】
前記熱伝導突起（２００）が、前記画像センサ（１５０）の周りの前記中間エリアの周囲の少なくとも５０％をカバーしている、請求項４又は５に記載のカメラ。
【請求項７】
前記インターフェース（２５０）の前記第１の表面が、円形外側エンベロープ表面（３０１）を形成し、前記インターフェース（２５０）の前記第２の表面が、円形内側エンベロープ表面（２０２）を形成している、請求項３から６のいずれか一項に記載のカメラ。
【請求項８】
前記センサホルダが、プリント回路基板（１００）である、請求項１から７のいずれか一項に記載のカメラ。
【請求項９】
前記熱伝導突起（２００）が、前記センサホルダ（１００）に取り付けられた熱伝導材料から形成されている、請求項１から８のいずれか一項に記載のカメラ。
【請求項１０】
前記レンズマウント（３００）が、熱伝導材料、好適には、金属材料から形成されている、請求項１から９のいずれか一項に記載のカメラ。
【請求項１１】
１以上のレンズを支持する管状部材を備えたレンズアレイ（６００）を更に備え、前記管状部材が前記レンズマウント（３００）の中へ挿入されている、請求項１から１０のいずれか一項に記載のカメラ。
【請求項１２】
前記レンズアレイ（６００）の前記管状部材が、熱伝導材料、好適には、金属材料から形成されている、請求項１１に記載のカメラ。
【請求項１３】
前記レンズマウント（３００）が、前記レンズアレイ（６００）を受け入れるように適合された管状部分を備える、請求項１から１２のいずれか一項に記載のカメラ。
【請求項１４】
前記マウントホルダ（３５０）が、前記レンズマウント（３００）を受け入れるように適合された管状部分を備える、請求項１から１３のいずれか一項に記載のカメラ。
【請求項１５】
前記マウントホルダ（３５０）が、ポリマー系材料から形成されている、請求項１から１４のいずれか一項に記載のカメラ。
【発明の詳細な説明】
【技術分野】
【０００１】
本発明は、カメラ内の画像センサの構成、及び画像センサからの熱放散を確実にすることに関する。
【背景技術】
【０００２】
光センサは、デジタルカメラ監視の分野で使用されるカメラの必要な且つ至る所に存在する部分である。光センサは、それらの正確な実施態様において幾らか異なるが、共通の特徴が、光センサの表面に対する入射光を測定するために光電効果を使用することである。光電効果は、金属の電子が、金属の表面に衝突する光子のエネルギーを吸収する現象である。したがって、デジタルカメラ監視の分野で使用される光センサは、入射光のエネルギーに反応するということができる。光センサが熱を通して熱エネルギーも吸収するときに、問題が生じる。そのような熱は、例えば、光センサからの光電情報を制御し且つ読み出すために使用される電気回路から発生し得る。光センサの電子は、そのような熱エネルギーを吸収し、光センサの電子が光子を測定したかのような信号を与える。これは、生成される画像の望ましくない飽和やノイズをもたらし、その画像をより不明瞭にし、画像の詳細が失われ得ることを意味し得る。これは、通常、画像が捕捉されるほとんどの場合において望ましくない。それは、例えば、通常、画像の詳細が極めて重要であり又は致命的に重要でありさえし得る監視の分野において望ましくない。したがって、デジタルカメラは、通常、カメラ内のプロセッサによって生成される熱を迂回させるように設計されている。熱は空気と接触するカメラの一部分に伝導され得る。熱は対流を通してその空気へと放散され得る。そのようなカメラの一部分は、カメラの冷却フランジ又は単にシャーシなどである。カメラの部分を通って伝導する熱は、他のやり方で前記部分を膨張又は変形させ、カメラ内に応力及び歪を生成し得る。これは、カメラがこれらの応力及び歪を考慮に入れて構築されなければならないことを意味し、カメラの周辺を設計することが高価で困難となり得る解決策に導く。更に、膨張又は変形は、画像センサに対してカメラのレンズを変位させ、結果として焦点を合わせることができずぼやけた画像をもたらし得る。上述の問題に対処する多くの先行技術の試みが存在する。
【０００３】
米国特許第9,407,802号は、画像を固定させるために使用される接着剤の熱膨張／熱収縮によって画像形成特性の劣化が引き起こされる可能性があることを論じている。熱膨張は、画像センサの位置を元々の好適な位置から変位させ、画像形成特性における劣化をもたらす。この文書では、このことが、部材を抑制する更なる動きを提供することによって対処されている。しかし、それは、画像センサから熱を放散させるという課題に本当には対処していないことが注意されるべきである。
【０００４】
したがって、熱膨張の結果として焦点を合わせることができないという危険性を低減させ且つ製造及び組み立てが未だ容易なカメラを設計しようとするときに、未だ改善の余地がある。
【発明の概要】
【０００５】
上述の問題の少なくとも一部を緩和することが本発明の目的である。
【０００６】
この目的は、センサホルダと、センサホルダ上に取り付けられた画像センサと、マウントホルダと、レンズアレイを受け入れるように適合され且つマウントホルダに取り付けられたレンズマウントと、を備えたカメラによって実現され、センサホルダはマウントホルダに取り付けられ、カメラの光軸に沿った伸長を有する間隙がセンサホルダとレンズマウントとの間に形成され、センサホルダには、間隙を埋め且つインターフェースにおいてレンズマウントと接触している熱伝導突起が設けられており、レンズマウントと熱伝導突起との間の接触を維持した状態で、光軸に沿ったレンズマウントと熱伝導突起との間の相対的な動きを可能にする。レンズマウントと熱伝導突起との間の接触を維持した状態で、光軸に沿ったレンズマントと熱伝導突起との間の相対的な動きを可能にすることは、熱伝導突起を介したセンサホルダからレンズマウントへの熱伝達を可能にする一方で、未だ、センサホルダと接触することを避けながら熱伝導突起とレンズマウントの両方が熱膨張することを可能にする。さもなければ、レンズマウントが画像センサから離れるようにレンズアレイを押し、それによって、画像センサに対してレンズが変位することを潜在的にもたらす。
【０００７】
センサホルダは、マウントホルダに接着剤で取り付けられ得る。接着剤による取り付けは、センサホルダを取り付ける素早い安価なやり方である。
【０００８】
インターフェースは、熱伝導突起上の第２の表面に対向するレンズマウント上の第１の表面を備え得る。その場合に、第１及び第２の表面は、両方とも光軸に対して垂直に延伸する法線を有する。この構造は、大きなインターフェースを提供することを可能にし、未だ、光軸に沿ったレンズマウントと熱伝導突起との間の相対的な動きを可能にする。
【０００９】
熱伝導突起は、センサホルダの中間エリアに位置決めされ、中間エリアは、画像センサの周りで延在し、センサホルダの外周の内側にあり得る。突起のこの配置は、マウントホルダに対するセンサホルダの取り付けと干渉することなしに、画像センサからの効率的な熱放散を可能にする。中間エリアは、センサ支持体とマウントホルダとの間の取り付けポイントによって規定される外周の内側にあり得る。画像センサとセンサ支持体及びマウントホルダの取り付けポイントとの間で径方向に位置付けられた状態で、画像センサの周りで延在するエリア内に熱伝導突起を配置することは、レンズマウントに熱を伝導させるために、その熱をセンサ支持体の取り付けポイントを通過して伝導させる必要がないことを保証する。それによって、熱伝導材料の任意の熱膨張又は収縮が、画像センサの変位を直接的にもたらさない。更に、接着剤層などの取り付けポイントを温める危険性が低減される。
【００１０】
熱伝導突起は、画像センサの周りの中間エリアの周囲の少なくとも５０％をカバーし得る。画像センサの周りの中間エリアの周囲の少なくとも５０％をカバーすることは、画像センサから逃げる熱の十分な伝導を可能にする。
【００１１】
インターフェースの第１の表面は、円形外側エンベロープ表面を形成し、インターフェースの第２の表面は、円形内側エンベロープ表面を形成し得る。主として円形状のインターフェースは、方向に関して均等に熱を広げ、それぞれ、熱伝導突起とレンズマウントの材料内の不均等な変形挙動に反作用する。更に、任意の圧力が、インターフェースに沿ってより均等に分配されることとなる。
【００１２】
センサホルダは、プリント回路基板であり得る。プリント回路基板は、安く作ることができ、通常は薄い外形であり軽量なので、センサを保持するために適切である。
【００１３】
熱伝導突起は、センサホルダに取り付けられた熱伝導材料から形成され得る。熱伝導材料から熱伝導突起を形成することは、熱伝導突起が単位時間当たりにセンサからレンズマウントへ迂回させることができる熱エネルギーの量を増加させる。
【００１４】
レンズマウントは、熱伝導材料、好適には、金属材料から形成され得る。これによって、且つ、センサの拡張によって、レンズマウントが単位時間当たりに熱伝導突起から迂回させることができる熱エネルギーの量を増加させる。金属は、通常、強く且つ優れた熱特性を有するので、この目的に適している。
【００１５】
カメラは、１以上のレンズを支持する管状部材を備えたレンズアレイを備え得る。その管状部材は、レンズマウントの中へ挿入される。レンズアレイの管状部材は、熱伝導材料、好適には、金属材料から形成され得る。レンズマウントは、レンズアレイを受け入れるように適合された管状部分を備え得る。マウントホルダは、レンズマウントを受け入れるように適合された管状部分を備える。これらの設計は、製造工程の間に光学素子が確実に取り付けられ、更には、光学素子が他の光学素子と交換され又は保守のために除去される、カメラの構築を可能にする。
【００１６】
マウントホルダは、ポリマー系材料から形成され得る。ポリマーは、概して、軽量であり所望の形状へ形作ることが容易なので、この用途に適している。
【００１７】
本発明の利用可能性の更なる範囲は、以下の詳細な説明から明らかとなるであろう。しかし、この詳細な説明によって本発明の範囲内の様々な変更及び修正が当業者に明らかとなるため、詳細な説明及び具体例は、本発明の好適な実施形態を示しながらも単なる例として提示されることを理解されたい。
【００１８】
従って、記載のデバイス及び記載の方法は変形し得るため、この発明は記載のデバイスの特定の構成要素部品又は記載の方法のステップに限定されないことを理解されたい。また、本明細書で使用される用語は、特定の実施形態だけを説明することを目的としており、限定的であることを意図していないということも理解されるべきである。明細書及び添付の特許請求の範囲で使用されるように、冠詞「１つの（「a」、「an」）」、及び「前記（「the」、「said」）」は、文脈が明らかにそうでないことを示さない限り、要素のうちの一又は複数が存在することを意味すると意図している点に留意しなければならない。従って、例えば、「部」（a unit）又は「当該部」（the unit）に言及した場合、これは幾つかのデバイスなどを含んでもよい。更に、用語「含む」（「comprising」、「including」、「containing」）及び類似の表現は、他の要素又はステップを除外しない。
【００１９】
本発明の上記の態様及びその他の態様を、本発明の実施形態を示す添付の図面を参照しながら更に詳細に説明する。図面は発明を具体的な実施形態へと限定するものでなく、本発明の説明及び理解のためのものである。
【図面の簡単な説明】
【００２０】
【図１】カメラの一部分の断面を示す。
【図２】図１のカメラ部分の分解図である。
【図３】分解された状態のカメラ及びカメラハウジングを示す。
【図４】組み立てられた状態のカメラ及びカメラハウジングの断面を示す。
【発明を実施するための形態】
【００２１】
次に、図面を参照しながら本発明をより詳細に説明する。図１は、カメラ２０の部分１の断面を示している。
【００２２】
カメラ２０は、センサホルダ１００、センサホルダ１００に取り付けられた画像センサ１５０、マウントホルダ３５０、及びレンズマウント３００を備える。レンズマウント３００は、レンズアレイ６００を受け入れるように適合され、マウントホルダ３５０に取り付けられている。センサホルダ１００は、マウントホルダ３５０に取り付けられている。以下でより詳細に説明されるように、カメラ２０の光軸Ａに沿った伸長を有する間隙５００が、センサホルダ１００とレンズマウント３００との間に形成される。更に以下でより詳細に説明されるように、センサホルダ１００には、間隙５００を埋め且つインターフェース２５０においてレンズマウント３００と接触している熱伝導突起２００が設けられており、レンズマウント３００と熱伝導突起２００との間の接触を維持した状態で、光軸Ａに沿ったレンズマウント３００と熱伝導突起２００との間の相対的な動きを可能にする。
【００２３】
マウントホルダ３５０は、ポリマー系材料から作られ得る。マウントホルダ３５０は、ポリマー系材料から作られる必要はないが、任意の適切な硬質材料から作られ得る。ポリマー系材料は、通常、軽量であり、例えば、射出成形によって形作ることが容易なので好適である。
【００２４】
レンズマウント３００は、金属から作られ得る。それは、例えば、アルミニウムから作られ得る。レンズマウント３００は、金属から作られる必要はないが、任意の適切な硬質材料から作られ得る。金属は、硬く且つ適切な熱特性を有するので、好適である。
【００２５】
画像センサ１５０は、カメラ２０に入射する光子を検出するように構成され、電荷結合素子（CCD）又は相補型金属酸化膜半導体（CMOS）などのアクティブピクセルセンサなどの、撮像用途のために適切な任意の光受容性センサであり得る。画像センサ１５０は、フラットパネル検出器、マイクロボロメータ、又は可視若しくは不可視の波長の光子の撮像を容易にする他のフィーチャを更に備え得る。
【００２６】
上述されたように、画像センサ１５０は、センサホルダ１００上に取り付けられるように適合されている。例えば、これは、画像センサ１５０をセンサホルダ１００に接着剤で連結することによって実行され得る。しかし、画像センサ１５０は、他のやり方でもセンサホルダ１００に取り付けられ得る。例えば、画像センサ１５０は、センサホルダ１００にはんだ付けされ得る。例えば、画像センサ１５０は、スナップロック又はネジを使用してセンサホルダ１００に締結され得る。
【００２７】
センサホルダ１００は、プリント回路基板であり得る。プリント回路基板は、通常、薄い外形を有するので、この用途に適切である。プリント回路基板は、十分な剛性を提供する一方で、軽量であり且つ製造することが容易でもある。画像センサ１５０を制御し且つ画像センサ１５０から情報を読み出すために必要な適切な電気回路を設けることも便利である。センサホルダ１００は、別の種類であってもよい。センサホルダ１００は、例えば、プリント回路基板であるよりもむしろケーブルに接続された構成要素を有する基板であり得る。
【００２８】
間隙５００がレンズマウント３００とセンサホルダ１００との間に形成されるように、それらが配置されていることが、図１で示されている。間隙５００は、仮想的な光軸１０に沿った伸長を有する。光軸Ａは、通常、画像センサ１５０に対して垂直であり、通常、センサホルダ１００の主たる延伸に対しても垂直である。
【００２９】
センサホルダ１００は、熱伝導突起２００を備える。熱伝導突起２００は、仮想的な光軸１０に沿った延伸を有し、間隙５００を埋め且つレンズマウント３００と接触するように配置されており、それによって、レンズマウント３００と熱伝導突起２００との間のインターフェース２５０を形成する。
【００３０】
レンズマウント３００と熱伝導突起２００との間の接触を維持した状態で、レンズマウント３００がセンサホルダ１００と接触することなしに、レンズマウント３００は、光軸Ａに沿ってセンサホルダ１００に向けて膨張し又は移動することが可能である。
【００３１】
これは、熱伝導突起２００が、熱エネルギーを画像センサ１５０から逃がすように導くことを可能にする。さもなければ、画像センサ１５０は過熱し、今度は、その過熱が、画像のノイズ及び飽和さえ又は画像センサ１５０に対する損傷をもたらし得る。その後、熱エネルギーは、熱伝導突起２００とレンズマウント３００との間のインターフェース２５０を通ってレンズマウント３００の中へ放散され得る。レンズマウント３００によって受け取られる熱エネルギーが、レンズマウント３００を膨張させ又はさもなければ変形させるならば、間隙５００は、レンズマウント３００の一部分したがって膨張を受け入れることができる。これは、レンズマウント３００が膨張することによって、センサホルダ１００上に力が加えられる危険性を低減させる。それによって、画像センサがレンズアレイに対して移動する危険性は低減される。
【００３２】
センサホルダ１００は、取り付けポイント４００によってマウントホルダ３５０に取り付けられている。取り付けポイント４００は、接着剤を使用してマウントホルダ３５０をセンサホルダ１００に連結するように形成され得る。例えば、それは、UV硬化性の接着剤であり得る。接着剤を使用しての取り付けは、カメラ２０を、容易であり且つ費用効果に優れたやり方で組み立てることを可能にする。本発明のこの態様は、光軸１０に沿ってレンズマウント３００が移動することによってセンサホルダ１００上に加えられる力に反作用する間隙５００によって容易にされ得る。何故ならば、接着剤は、殊に経時的に、例えば、カメラの構築に一般的に使用されるネジやリベットよりも、そのような力に対する耐性が低くなり得るからである。
【００３３】
インターフェース２５０は、レンズマウント３００上の第１の表面３０１、及び熱伝導突起２００上の第２の表面２０２を備え得る。その場合に、第１及び第２の表面は、両方とも光軸１０に対して垂直に延伸する法線を有する。熱膨張によってレンズマウント３００が光軸Ａの方向へ移動又は変形するならば、光軸Ａに対して垂直な法線を有するインターフェースは、レンズマウント３００が熱伝導突起２００と接触したままであることを可能にする一方で、その間、間隙５００は、レンズマウント３００が、光軸Ａに沿った方向においてセンサホルダ１００に力を加えることなしに、前記光軸Ａに沿って移動し又は膨張することを可能にする。このやり方では、レンズマウント３００と熱伝導突起２００との間の熱連結が維持されている。
【００３４】
熱伝導突起２００は、画像センサ１５０とセンサホルダ１００の外周との間で径方向に中間エリア内に位置付けられていることが図２で開示されている。熱伝導突起２００を画像センサ１５０に隣接して位置付ける代わりに画像センサ１５０から距離を置いて位置付けていることは、画像センサ１５０に重なる又は近接する光軸Ａに沿った位置において、レンズマウント３００と熱伝導突起２００との間のインターフェースを設けるための空間を提供する。熱伝導突起２００は、（図示せぬ）少なくとも１つの熱伝導スポークによって、画像センサ１５０に連結され得る。熱エネルギーは、そのようにしてプリント回路基板を介しても伝達され得る。
【００３５】
中間エリアは、取り付けポイント４００によって規定された外周の内側に位置付けられ得る。この構造は、熱が、熱伝導突起２００に到達するために、取り付けポイント４００を通過するように導かれる必要がないことを意味する。これは、殊に、取り付けポイント４００が接着剤の取り付けポイント４００であるときに有利である。何故ならば、使用される接着剤は熱によって悪影響を受け得るからである。
【００３６】
図面で描かれている実施形態では、インターフェース２５０の第１の表面が、円形外側エンベロープ表面３０１を形成し、インターフェース２５０の第２の表面が、円形内側エンベロープ表面２０２を形成している。画像センサ１５０の周りの熱伝導突起２００の主として円形のレイアウトは有利である。何故ならば、それは、画像センサ１５０の周りで熱を均等に伝導し、熱伝導突起２００及び熱伝導突起２００から熱を受け入れるレンズマウント３００の変形における方向依存性に反作用するからである。画像センサ１５０から全ての方向へ均等に設けられた熱伝導突起２００からセンサホルダ１００上への内力などの、円形断面を有する突起の機械的特性によってもそれは有利である。好適ではあるが、熱伝導突起２００は閉じた円を規定する必要はないことに留意されたい。熱伝導突起２００は、例えば、構成要素を受け入れ又は重量を削減するために間隙を含むことも可能である。熱伝導突起２００とレンズマウント３００との間に適切なインターフェースエリアを有するために、熱伝導突起２００が画像センサの周りで中間エリアの周囲の少なくとも５０％をカバーすることが好適である。好適には、熱伝導突起２００が、熱伝導材料から作られる。好適には、熱伝導突起２００が、センサホルダ１００と直接的に取り付けられる。好適には、熱伝導突起２００が可撓性である。例えば、熱伝導突起２００は、ポリマー系材料から形成され得る。しかし、熱伝導突起２００は、例えば、硬質プラスチック、金属、又はセラミック材料などの、硬質材料から形成されることも考慮され得る。
【００３７】
レンズマウント３００も、熱伝導材料から形成される。金属材料からレンズマウント３００を形成することが好適である。
【００３８】
次に、図２を参照しながら、カメラ１が如何にして構築されるかをより詳細に説明する。図２では、レンズアレイ６００が示されている。レンズアレイ６００は、１以上のレンズを支持する管状部材を備える。レンズアレイ６００は、画像センサ１５０に向けて光を導くのに役立ち、カメラに見られるレンズアレイ６００に関連した任意の機能が設けられ得る。これらは、視野に関連したもの、例えば、広角若しくはマクロ遠近両用レンズであってもよく、又はズーム機能のためのアクチュエータなどのカメラの制御に関連したものであってもよい。カメラのためのレンズアレイの分野は、よく開発が行われていて、上述の機能は例示的なものとしてのみ意図されている。管状部材は、レンズマウント３００の管状部分の中へ挿入される。描かれている実施形態では、その後、管状部材が、クリップ６５０によって適所に保持され、レンズアレイ６００の望ましくない動きに反作用する。レンズアレイ６００は、数多くの他のやり方で適所に保持され得る。ネジ、リベット、若しくは接着剤、スナップロック機構、又はレンズアレイ６００をレンズマウント３００の中へねじ込むことを可能にするように螺合するレンズマウント３００及びレンズアレイ６００を提供することによって、レンズアレイ６００をカメラに固定することが可能である。好適な実施形態において、レンズマウント３００とレンズアレイ６００は、レンズアレイ６００がレンズマウント３００の中へねじ込まれた状態で螺合している。レンズアレイ６００の管状部材も、好適には、熱伝導材料、好適には金属から形成される。マウントホルダ３５０の管状部分を介して、レンズマウント３００がマウントホルダ３５０に取り付けられている。レンズマウント３００は、ネジ、リベット、スナップロック構造、又はマウントホルダ３５０をレンズマウント３００上にねじ込むことなどの、幾つかの他のやり方でマウントホルダ３５０に取り付けられ得る。好適な実施形態において、マウントホルダ３５０とレンズマウント３００は、マウントホルダ３５０がレンズマウント３００上へねじ込まれた状態で螺合している。
【００３９】
添付の特許請求の範囲に記載するように、本発明の範囲内において、本明細書に記載した実施形態に対しては数々の変更例が考えられる。
【００４０】
取り付けポイント４００は、上述の実施形態におけるものとは異なるやり方で形成され得る。上述の実施形態では、センサホルダがマウントホルダに接着剤で取り付けられている。例えば、センサホルダ１００は、はんだ付け若しくは溶接によって、又はネジ、リベット、若しくはスナップロック機構によって、マウントホルダ３５０に取り付けられ得る。
【００４１】
上述の実施形態では、インターフェースが、２つの円形エンベロープ表面から形成されるように示されている。代替的に、インターフェースは、矩形状、楕円形状、又は不規則な形状などの、画像センサ１５０の周りの任意の他の幾何学的形状でレイアウトされ得る。
【００４２】
図３及び図４は、カバー２２及びベースプレート３０を備えたハウジングの内側の上述の部分１を有するカメラ２０を示している。図３では、カメラカバー２２が、ベースプレート３０から分解されている。図４では、カメラカバー２２が、ベースプレート３０に組み付けられている。カメラカバー２２は、ウインドウ２１を備え、ベースプレート３０に固定されるように設計されている。そのようにして、カメラの部分１は、ウインドウ２１を通して光を受け入れることができる。ウインドウ２１は、ドーム形状であり得る。ベースプレート３０上には、第１のPCB１３がPCBカバー１１の下に取り付けられている。第１のPCB１３とPCBカバー１１は、ネジによって第１の取り付けポイント１２に取り付けられている。第１のPCB１３は、プロセッサ、メモリチップ、種々のセンサ、又は他の種類の電子機器などの、電子機器を保持し得る。リベット又は他の固定手段が、取り付けポイント１２のためのネジの代わりに使用され得る。カメラ２０の部品１は、前方シャーシ部分１８と後方シャーシ部分１９内で支持されている。前方シャーシ部分１８と後方シャーシ部分１９は、レンズアレイ６００と共にマウントホルダ３５０を主に囲んでいる。レンズアレイ６００は、部分的に視認可能であり、前方シャーシ部分１８を通って突出している。前方シャーシ部分１８と後方シャーシ部分１９は、スイベルマウント１５内に配置されている。スイベルマウントは、設置目的でカメラにパン及びチルト機能を提供するように配置されている。スイベルマウント１５は、ベースプレート３０上でネジによって第２の取り付けポイント１４に取り付けられている。再び、ネジ以外の他の固定手段も使用され得る。ベースプレート３０とカメラカバー２２は、金属又はポリマー材料から作られ得る。ポリマー材料は、効率的に製造され天候に対する耐性を有し得るので、有利である。
【図１】
2019091016.tif 000003
【図２】
2019091016.tif 000004
【図３】
2019091016.tif 000005
【図４】
2019091016.tif 000006
【外国語明細書】
2019091016000001.pdf
2019091016000002.pdf
2019091016000003.pdf
2019091016000004.pdf